(57)【要約】【課題】  この考案は台風、地震、洪水等の災害時に、地域住民が緊急避難用の仮設住宅として、設置場所を選ばずに簡単に利用することができる組立てハウスを提供する。【解決手段】  組立てハウスを、基礎床部、外壁部及び屋根部の３部分に分割し、各々堅牢で軽量な材料で製作し、輸送しやすく、組立て作業を容易にした状態のものを、避難地等の設置場所で組立てる。  また、基礎床部は水注入用袋状容器と該袋状容器を支持する枠体と該枠体上面に設置される床板から構成され、該袋状容器は、弾性がある気密性容器構造であるため該床板面と同一水平面まで水を注入することにより、該床面及び地盤設置面との同一水平面の確保が容易に可能で、あらゆる地盤への設置が可能となる。【選択図】図１
0003132227.tif 000002
【実用新案登録請求の範囲】
【請求項１】
基礎床部と、該基礎床部に一体連結された外壁部と、該外壁部と一体連結された屋根部とからなる組立てハウスにおいて、該基礎床部が水注入用上面水平袋状容器と該袋状容器を支持する枠体と該枠体上に設置される床板とからなることを特徴とする組立てハウス。
【請求項２】
前記組立てハウス基礎床部の枠体が複数の区画を有する構造であることを特徴とする請求項１記載の組立てハウス。
【請求項３】
前記組立てハウス基礎床部の枠体の複数の区画が各々、取り付け取り出しが可能な構造であることを特徴とする請求項１及び請求項２記載の組立てハウス。
【考案の詳細な説明】
【技術分野】
【０００１】  本考案は、台風、地震、洪水等の災害時において、近隣住民が緊急に避難するための仮設住宅用の組立てハウスに関するものである。
詳しくは、基礎床部の下部空間が水注入上面水平袋状容器で構成されている水床式組立てハウスに関するものである。
【背景技術】
【０００２】  従来の、台風、地震、洪水等の災害時において、近隣住民が緊急に非難するための仮設住宅用の組立てハウスは、前もって仮設住宅用に完成されたものを避難場所に輸送して使用していた。
避難場所によっては、輸送車が通行できない場合もあり、組立てハウスの大きさによっては積載スペースが制約され、避難場所で効率的に使用することができなかった。
また、組立てハウスを避難場所の地盤上に設置する場合、地盤上面の組立てハウス設置面が同一水平面でない場合は、組立てハウスをうまく設置することができなかった。
それ故、組立てハウスを避難場所の地盤上に設置するには、自ずと限界があった。
これらの問題を解決する工夫としては、折畳み収納式組立てハウス（例えば、特開平８−２８４２５６）や地盤と設置組立てハウスとの間に伸縮自在の筒状枠体を設ける（例えば、特開平７−２９２９７３）が提案されている。【０００３】  しかしながら、これらの提案は、折畳み収納式組立てハウスにしろ、伸縮自在の筒状枠体を設けるにしろ、構造が複雑で、しかも大掛かりな操作等が必要なことから、台風、地震、洪水等の災害時のような緊急非常事態への対応としては不十分であるといわざるを得ない。
【考案の開示】
【考案が解決しようとする課題】
【０００４】  従来の工夫としては、前記のように、折畳み収納式組立てハウスにして避難場所で組み立てる工夫や避難場所の設置地面と組立てハウスとの間に伸縮自在の筒状枠体を設けて同一水平面を保つ工夫が提案されている。
しかしながら、これらの提案は何れも構造が複雑で、しかも大掛かりな操作等が必要であることから、台風、地震、洪水等の災害時のような緊急非常事態への構造の工夫はなされていないといえる。
【課題を解決するための手段】
【０００５】  本考案は、上記の課題を解決するために、台風、地震、洪水等の災害時において、近隣住民が緊急に避難するための仮設住宅用の組立てハウスの構造を基礎床部と該基礎床部に一体連結された外壁部と、該外壁部と一体連結された屋根部を各々設置場所で組立てる構造とした。
次に、基礎床部は水注入用上面水平袋状容器と該袋状容器を支持する枠体と該枠体の上面に設置される床板からなる構造とした。
さらに、該枠体は、該袋状容器が単一であると上面水平が保ちにくいので、複数の区画を有する構造とした。
そして、該枠体の複数の区画は、スライド式レール等を設置して、取り付け取り出しが可能な構造とした。
該枠体の上面に設置される床板は、人間が上に乗って移動しても耐えられる程度の堅牢さを有し、軽量な発泡スチロール樹脂板等とした。
なお、該外壁部と該屋根部については、軽量材であれば、特に限定されるものではない。
【考案の効果】
【０００６】  従来の、台風、地震、洪水等の災害時において、近隣住民が緊急に避難するための仮設住宅用の組立てハウスは、避難用設置場所への輸送や設置面の水平確保に問題があった。
本考案の水床式組立てハウスを使用すれば、輸送については、基礎床部と外壁部及び屋根部と各々別個になっていて、各々は軽量で体積が小さいので輸送も簡単になる。
さらに、各々の材質についても、弾性を有するフッ素ゴム、シリコンゴム、ウレタンゴム及びＰＶＣ（塩化ビニル）等の軽量で弾性を有するものを使用すれば、ヘリコプターのような空輸も可能となる。
次に、基礎床部の下部設置面が、水注入上面水平袋状容器であることから、設置面の同一水平の確保も可能となる。
また、該袋状容器の材質については、軽量で弾性及び気密性を有するフッ素ゴム、シリコンゴム、ウレタンゴム及びＰＶＣ（塩化ビニル）等を用いると効果的である。
なお、該枠体の上面に設置される床板は、発泡スチロール樹脂板を使用したが、人間が上に乗って移動しても耐えられる程度の堅牢さを有する軽量な材料であれば、特に限定されるものではない。
さらに、外壁部及び屋根部は通常使用されているものを採用しても問題はないが、輸送及び組立て作業性等を考慮すれば、堅牢で軽量な材質のＰＶＣ（塩化ビニル）等がよい。
以上本考案の水床式組立てハウスは、組立て及び取り外しが簡単自在な構造であり、移動も簡単で、さらに設置場所についても輸送も簡単で、ヘリコプター等の空輸も可能であり、設置面の同一水平確保も容易なことより、特別な制約なしにいかなる場所にも容易に設置することが可能である。
【考案を実施するための最良の形態】
【０００７】  本考案の水床式組立てハウスは、基礎床部と、該基礎床部に一体連結された外壁部と、該外壁部に一体連結された屋根部とから構成されるものである。
さらに該基礎床部の下部空間は、水注入後上面が水平に保たれる軽量で弾性及び気密性を有するフッ素ゴム及びシリコンゴム等の材質からなる複数の袋状容器と該袋状容器を各々支持する複数のスライド式レール等で取り付け取り出しが可能な構造の枠体と該枠体上面に設置される床板からなる構造である。【０００８】  なお、該袋状容器の材質については、軽量で弾性及び気密性を有するものであればよく、特に限定されるものではない。
また、該枠体の取り付け取り出し構造についても、機能を有するのであれば、スライド式レールに限定されるものではない。
さらに、該枠体上面に設置される床板の材質については、上に人間が乗って移動しても耐えられる程度の堅牢さを有し、軽量であれば、発泡スチロール樹脂板に限定されるものではない。
【実施例】
【０００９】  以下に、本考案の一実施形態を、図面を参照して説明する。
図１は、本考案の一実施例を示す正面図であり、図２は本考案の一実施例を示す基礎床部の平面図である。
まず組立てハウス設置の地盤設置面１上にＰＶＣ（塩化ビニル）製の基礎床部２を設置し、複数区画を有し、スライドレール付設のＰＶＣ（塩化ビニル）製の枠体８の各々の区画にシリコンゴム製の水注入用袋状容器を各々該区画に設置し、該袋状容器が設置された該枠体を該基礎床部２に取り付ける。
つぎに、該枠体の上面に発泡スチロール樹脂製の床板９を設置し、該床板下の該袋状容器５の水注入口６から、人間が該床面に乗って移動した状態で、該袋状容器の上面が該床板と、該袋状容器の下面が地盤設置面と各々同一水平面になるように水を注入して、水平面を保った状態で床板９を枠体８に固定する。
なお、該袋状容器と地盤設置面との間に堅牢で弾性のあるシリコンゴム製の下板を設置することにより、該袋状容器の破損防止効果は高くなる。
そして、該基礎床部２上にＰＶＣ（塩化ビニル）等の軽量材料が主体の外壁部３を連結設置し、さらに該外壁部３にＰＶＣ（塩化ビニル）等の軽量材が主体の屋根部４を連結設置して組立てハウスを完成させる。
また、使用後は水排出口７から水を排出し、組立てた逆手順で、基礎床部２と外壁部３及び屋根部４に分割して次の使用に備えることが可能である。【００１０】  実施形態では、基礎床部、外壁部、屋根部及び基礎床部を構成する袋状容器、枠体、床面の材質については、各々軽量性、堅牢性、弾性等の本考案の機能を果たすのに十分な物性を有するものであれば、特に限定されるものではない。
そして、枠体の区画数は１５個（３Ｘ５）になっているが区画数は、組立てハウスを設置する地面の水平状況や広さ等により、自由に設定することも可能である。
また、枠体の取り付け取り出しはスライドレール方式を採用しているが、取り付け取り出し作業がスムーズにできるのであれば、例えば凹凸溝方式等でもなんら問題はない。
【図面の簡単な説明】
【００１１】
【図１】  本考案の組立てハウスの一実施例を示す正面図である。
【図２】  本考案の組立てハウスの基礎床部の一実施例を示す平面図である。
【符号の説明】
【００１２】    １  地盤設置面
２  基礎床部
３  外壁部
４  屋根部
５  水注入用袋状容器
６  水注入口
７  水排出口
８  複数区画を有するスライドレール付枠体
９  床板
【図１】
0003132227.tif 000003
【図２】
0003132227.tif 000004
【手続補正書】
【提出日】平成19年2月23日(2007.2.23)
【手続補正１】
【補正対象書類名】実用新案登録請求の範囲
【補正対象項目名】請求項３
【補正方法】変更
【補正の内容】
【請求項３】
前記組立てハウス基礎床部の枠体の複数の区画が各々、取り付け取り出しが可能な構造であることを特徴とする請求項１または請求項２記載の組立てハウス。